(57)【特許請求の範囲】
【請求項１】
背凭れ部と座部を有し、座部前部には出没機構を介して前方に出没可能な足載台を設け、
前記足載台に左右一対の凹部を形成し、各凹部内側壁に空気供給機構からの圧空給排により膨縮する施療用の空気袋を各々配設したマッサージ椅子において、
前記足載台を自動的に前後に摺動させる摺動機構と、前記摺動機構と前記空気供給機構を制御する制御装置とを設け、
前記制御装置は、施療プログラムに応じて、前記摺動機構によって前記足載台を座部前方で自動的に前後に連続摺動させながら前記空気供給機構によって前記空気袋を連続して膨張収縮させる連続膨縮移動の制御をすることで、足部の広範囲に順次連続した空圧マッサージを繰返し行なわせて摩り施療を行なうことを特徴とするマッサージ椅子。
【請求項２】
前記制御装置が、リモコンスイッチの操作によって選択指定された施療プログラムに応じて、前記摺動機構と前記空気供給機構を制御するものであり、座部の前方で出没し得るように構成する足載台を、その突出時に、さらに使用者の脚の長さに合わせて進退移動させることのできる摺動プログラムを設けて構成していることを特徴とする請求項１に記載のマッサージ椅子。
【請求項３】
前記制御装置が、前記リモコンスイッチの操作によって前記出没機構を制御し、前記足載台を退没収納させることを特徴とする請求項１乃至２に記載のマッサージ椅子。
【発明の詳細な説明】
【０００１】
【産業上の利用分野】
本発明は、椅子及びマッサージ椅子の座部前部に配備される足載台に摺動手段を設け、足載台を任意或いは自動的にスライドできるようにして、使用者の脚部或いは好みに応じて足載台を進退調節できるようにした足載台進退機構に関するものである。
【０００２】
【従来の技術】
従来の足載台は、座部の後部に背凭れ部を配備すると共に座部下方から前方へ伸設されるパンタグラフ状或はシリンダー状の出没機構を設け、該出没機構の前端に足載台を取り付けて、足載台を手動で前方へ出没自在に構成したものや、リクライニング機構を利用して、手動や電動により傾倒自在に構成した背凭れ部の下部に前記出没機構の後端が枢着され、その前端に足載台を取着して背凭れ部の傾倒に連動して足載台を前方へ出没自在に構成したもの等があり、これらは一般的に古くから利用されているものである。
【０００３】
また、前記足載台は、これを前方へ押し上げて脚部を保持するのであるが、脚部を保持した状態で脚部自体にマッサージを施すことができるよう、該足載台の内部にバイブレータや可回転ローラ−の他、膨張や収縮を繰り返し行う袋体等を装備したものも有り、これらも一般市場に出回っているものである。
【０００４】
【発明が解決しようとする課題】
しかし、上記のような従来の椅子及びマッサージ椅子にあっては、背凭れ部においては使用者が仰臥姿勢や着座姿勢を任意に選択でき、また、足載部においても、使用者が任意に足載台を出没させて使用できるため、比較的楽な姿勢で着座してマッサージを施すことができ、利便で快適なものでは有るが、特に足載台に脚部を載置する場合に、足載台の長さが一定であるために使用者の脚部長さの個人差に対応できず、安定した位置に脚部のふくらはぎ部分を載置することができず、楽な姿勢とは言えない状態になる場合があった。
【０００５】
特に、近年の若年層と老人層が交互に足載台を使用する場合において、老人層にとっては問題が少ないのであるが、近年の若年層のような比較的に長い脚をこの足載台に載上した場合には、その先端からふくらはぎにかけてのかなりの部分が、該足載台からはみ出して不安定な状態になってしまうという結果になっていた。
【０００６】
上記の問題は、前記足載台が、収納状態の閉没時に座部前端から下垂れるように構成されているため、該足載台の奥行長さが床部と座部間の寸法に限定されてしまうことにあった。
【０００７】
本発明は、上記実情に鑑みて成されたものであり、座部前部に座部下方から略水平位置に出没し得る足載台を設けた椅子及びマッサージ椅子において、該足載台を前方へ突出させた状態で足載台を任意或いは自動的に伸縮できるようにし、使用者の脚部或いは好みに応じて足載台を適宜に進退調節或いは連続前後移動できるようにした足載台進退機構を提供する事を目的とする。
【０００８】
すなわち、本発明のマッサージ椅子は、背凭れ部と座部を有し、座部前部には出没機構を介して前方に出没可能な足載台を設け、前記足載台に左右一対の凹部を形成し、各凹部内側壁に空気供給機構からの圧空給排により膨縮する施療用の空気袋を各々配設したマッサージ椅子において、前記足載台を自動的に前後に摺動させる摺動機構と、前記摺動機構と前記空気供給機構を制御する制御装置とを設け、前記制御装置は、施療プログラムに応じて、前記摺動機構によって前記足載台を座部前方で自動的に前後に連続摺動させながら前記空気供給機構によって前記空気袋を連続して膨張収縮させる連続膨縮移動の制御をすることで、足部の広範囲に順次連続した空圧マッサージを繰返し行なわせて摩り施療を行なうことを特徴とするものである。
【０００９】
また、前記マッサージ椅子は、前記制御装置が、リモコンスイッチの操作によって選択指定された施療プログラムに応じて、前記摺動機構と前記空気供給機構を制御するものであり、座部の前方で出没し得るように構成する足載台を、その突出時に、さらに使用者の脚の長さに合わせて進退移動させることのできる摺動プログラムを設けて構成している事を特徴とするものである。
【００１０】
また、前記制御装置が、前記リモコンスイッチの操作によって前記出没機構を制御し、前記足載台を退没収納させるよう構成した事を特徴とするものである。
【００１１】
【作用】
本発明は、上記のような構成を採用することにより次のような作用をもたらすものである。
すなわち、本発明の足載台進退機構においては、座部前部に出没機構を介してその前端に前方に出没可能に接続された足載台を、摺動機構で前後移動させる事ができると共に、該足載台を選択指定された施療プログラムに応じて座部前方で自動的に前後に摺動移動させるよう構成した事により、各使用者が、座部前部に略水平状態に突出させた足載台を好みの位置に摺動させてリラックスした姿勢で椅子に着座する事ができると共に、足載台上に載置された施療者の足部に自動的に摩り施療を施す事ができる。
【００１２】
また本発明は、前記足載台を、左右に一対の凹部を形成し、該凹部内側壁には、空気供給機構からの圧空給排により膨縮し得る空気袋を配設した構成にする事により、使用者が座部前部に略水平状態に突出させた足載台を好みの位置に摺動させてリラックスした姿勢で椅子に着座し、足部に足載台の空気袋の膨縮で空圧マッサージを行なわせる事ができ、また、施療プログラムに応じて座部前方で自動的に前後に摺動移動させながら空気袋を膨縮させる事で、足載台の空気袋の膨縮で足部の広範囲に順次連続した空圧マッサージを繰返し行なわせる事ができる。
【００１３】
更に本発明は、摺動プログラムの最終動作終了時に、前記足載台を元位置に退没収納させるよう構成した事により、元位置に復帰した後に足載台を収納させる為、足載台の退没時における足載台と床面との激突や接触を常に防止できる
【００１４】
【発明の実施の態様】
以下、本発明の足載台進退機構を、図面に示す一実施例に基づいてこれを詳細に説明する。
図１は、本発明の足載台進退機構を使用した椅子の一実施例を示す斜面図であり、図２は本発明の足載台進退機構を使用した椅子の足載台を突出させた状態の一実施例を示す斜面図であり、図３は本発明の足載台進退機構を使用した椅子を作動させて足載台を伸縮させた状態の一実施例を示す斜面図であり、図４は本発明の足載台進退機構を使用した椅子の一実施例を示す説明図であり、図５は本発明の足載台進退機構を使用した椅子の使用状態を示す説明図であり、図６は本発明の足載台進退機構における摺動機構の一実施例を示す説明図である。
【００１５】
また、図７は本発明の足載台進退機構における摺動機構の摺動プログラムの作動回路を示すブロック図であり、図８は本発明の足載台進退機構における摺動機構の摺動プログラムの一実施例を示すブロック図である。
【００１６】
図１乃至図４は、本発明の足載台進退機構を使用した椅子の実施例を示しており、図面で示した椅子は、背凭れ部５と座部４と肘掛部３とを有し、座部４前部には出没機構を介してその前端に出没可能な足載台１を設け、該足載台１が座部４下方から略水平位置に出没し得るようにしたものを例示している。
【００１７】
前記足載台１を出没させる出没機構は、図示していないが、座部４の下部に位置するよう配設しており、該出没機構は、モータ等に噛合する螺子軸を備え、該螺子軸の回転を非回転ナットに伝達してこれを前方或いは後方へ移動させることができるようにし、これを回転リンク６に伝達して、該回転リンク６の先端に連結される足載台１を出没できるようにしている。
【００１８】
而して、本発明の足載台進退機構は、前記椅子の足載台１に、図６に示すような摺動機構２を設けると共に、足載台１を座部前方で自動的に前後に摺動移動させる摺動プログラムを備え、選択指定された摺動プログラムに応じて足載台が前後に摺動移動するよう構成したものを例示している。
【００１９】
尚、前記摺動機構２は、手動で行なう場合には、図４及び図５に示すように、前記足載台１の下部に足載台保持部材２２を設け、該足載台保持部材２２の両側下部に摺動板２３に嵌合して摺動し得る一対の摺動棒２１・２１を設けて、該足載台１を安定保持させて手動によって任意に前後摺動させる事ができるようにしている。
【００２０】
また、前記足載台１は、夫々左右に一対の凹部１３・１３を形成したＷ字状に形成したものであり、図２に示す実施例では、該足載台１の各凹部１３・１３内側壁に空気供給機構からの圧空給排により膨縮し得る空気袋１４・１４を各々配設したものを例示している。
【００２１】
更に、本発明の足載台進退機構は、図７に示すように、前記足載台１を座部４の前方で自動的に前後に摺動移動させる摺動プログラムを備えており、選択指定された摺動プログラムに応じて、足載台１が自動的に前後に摺動移動動作したり連続摺動移動するようにしている。
【００２２】
前記摺動機構２は、電動である事が好ましく、前述したように、足載台１と該足載台１の下部に配設された足載台保持部材２２の摺動板２３に嵌合してこれを摺動可能にする両側一対の摺動棒２１・２１と、両一対の摺動棒２１・２１間に配設されて足載台を前後動させる駆動機構２４とから成り、足載台１を安定保持しながら摺動棒２１・２１に支持されて前後移動させる事ができるようにしている。
【００２３】
前記摺動機構２の駆動機構２４は、前述したように足載台１を前後移動させる為のものであり、該駆動機構２４は、例えば図６に示したように、座部４下部に固定された出没螺子軸２４３を備えた電動アクチュエータ２４１と、足載台１の下部に固着され、前記アクチュエータ２４１の螺子軸２４３と螺合する雌螺子部を備えた螺合部材２４２とで構成され、螺子軸２４３の進退に連動して足載台１を自動的に前後移動させる事ができるようにしている。
【００２４】
前記摺動プログラムは、例えば図７の作動回路のブロック図で示したように、リモコンスイッチＳを操作する事で、選択指定された摺動動作を記憶回路で記憶し、これを動作指示回路に転送される。そして、この動作指示回路に送出されたデータは、マイクロコンピュータからなる制御装置により制御されて、足載台１を作動させて該足載台１１を摺動プログラムに従って自動的に摺動させる事ができるようにしている。
【００２５】
また、前記摺動プログラムと空気供給機構からの圧空給排により膨縮し得る空気袋１４の膨縮を連動させる事もでき、これにより、足載台１を連続摺動させながら空気袋１４の膨縮による施療を実施させる事ができる。
【００２６】
前記摺動プログラムには、図８に示したように選択指定された摺動動作の最終動作終了時に、前記足載台を元位置に退没収納させるプログラムを備えており、自動的に前後に連続摺動するようにしたプログラムを選択した場合には、その最終動作終了時に足載台を退没収納して停止するのである。
【００２７】
例えば、図８のような摺動プログラムを利用する場合には、リモコンスイッチＳを操作して足載台１の前方移動を選択した場合には、この指定を記憶回路で記憶した後、これを動作指示回路に転送し、該動作指示回路のデータを制御装置に送出して、足載台１を自動的に前方へ作動させて、適宜の前方位置で停止させる事ができるのである。
【００２８】
またリモコンスイッチＳを操作して足載台１の後方移動を選択した場合には、この指定を記憶回路で記憶した後、これを動作指示回路に転送し、該動作指示回路のデータを制御装置に送出して、足載台１を自動的に後方へ作動させて、適宜の後方位置で停止させる事ができるのである。
【００２９】
更に、リモコンスイッチＳを操作して足載台１の元位置復帰移動を選択した場合には、この指定を記憶回路で記憶した後、これを動作指示回路に転送し、該動作指示回路のデータを制御装置に送出して、足載台１を収縮した状態にして停止する。
【００３０】
更にまた、足載台１の連続前後移動或いは連続前後膨縮移動を選択した場合には、この指定を記憶回路で記憶した後、これを動作指示回路に転送し、該動作指示回路のデータを制御装置に送出して、足載台１を前後に自動的に連続前後動させ、或いは足載台１を連続前後移動させながら空気供給機構からの圧空給排により空気袋１４の膨縮を行なわせる連続膨縮移動を行なわせ、所定の施療を行わせた後、元位置に復帰させて停止し、或いは元位置に復帰した後、足載台１を退没収納させる事ができる。
【００３１】
【発明の効果】
よって、本発明の足載台進退機構は、椅子やマッサージ椅子の座部の前方で出没し得るように構成する足載台を、その突出時に、さらに使用者の脚の長さに合わせて進退移動させることのできる摺動プログラムを設けて構成しているので、脚部が該足載台からはみ出してリラックスした状態を維持できない従来のものとは異なり、施療者の体長及び足の長さに適応できる椅子やマッサージ椅子を提供する事ができ、リラックスできる余裕のある伸脚姿勢で着座して連続的に足載台を摺動する事で摩り施療が行なえるものであり、しかも連続的に足載台を摺動させながら空気袋を膨縮させる事で連続膨縮施療をも施す事ができる。
【図面の簡単な説明】
【図１】本発明の足載台進退機構を使用した椅子の一実施例を示す斜面図である。
【図２】本発明の足載台進退機構を使用した椅子の足載台を突出させた状態の一実施例を示す斜面図である。
【図３】本発明の足載台進退機構を使用した椅子を作動させて足載台を延伸させた状態の一実施例を示す斜面図である。
【図４】本発明の足載台進退機構を使用した椅子の一実施例を示す説明図である。
【図５】本発明の足載台進退機構を使用した椅子の使用状態を示す説明図である。
【図６】本発明の足載台進退機構における摺動機構の一実施例を示す説明図である。
【図７】本発明の足載台進退機構における摺動機構の摺動プログラムの作動回路を示すブロック図である。
【図８】本発明の足載台進退機構における摺動機構の摺動プログラムの一実施例を示すブロック図である。
【符号の説明】
１  足載台
１３  凹部
１４  空気袋
２  摺動機構
４  座部
５  背凭れ部
【図１】
0004753128.tif 000002
【図２】
0004753128.tif 000003
【図３】
0004753128.tif 000004
【図４】
0004753128.tif 000005
【図５】
0004753128.tif 000006
【図６】
0004753128.tif 000007
【図７】
0004753128.tif 000008
【図８】
0004753128.tif 000009